(57)【要約】【課題】  印画紙に形成される画像の品質が低下するのを抑制しつつ、印画紙の端部にめくれが生じるのを防止する。【解決手段】  切断機構５０において印画紙２が切断された後、可動刃５８が固定刃５７から離れる方向に移動する前に、切り換え機構７０によって、可動刃５８が移動するのに伴って可動ガイド４０を上方に移動させる。従って、搬送供給機構３０と切断機構５０との間を搬送される印画紙２が上方に押圧され、搬送供給機構３０と切断機構５０との間において、印画紙２が撓むことによって、切断された直後の印画紙２の先端が搬送方向上流側に戻されて切断機構５０における切断位置から離隔する。【選択図】図２
2006072014.tif 000002
【特許請求の範囲】
【請求項１】
画像形成媒体を挟持しつつ搬送する搬送機構と、固定刃及び前記固定刃に向かって往復移動可能な可動刃を有し且つ前記搬送機構により搬送された画像形成媒体を切断する切断機構とを備えており、画像形成媒体上に画像を形成する画像形成装置において、
前記搬送機構と前記切断機構との間を搬送される画像形成媒体の一部分を搬送経路と交差する方向に向かって押圧する方向に移動可能な移動部材と、
前記可動刃と連動させて、前記移動部材の位置を切り換える切り換え機構とをさらに備えており、
前記切り換え機構は、前記切断機構において画像形成媒体が切断されるときは画像形成媒体を押圧しない位置に前記移動部材を配置し、前記切断機構において画像形成媒体が切断された後であって且つ可動刃が固定刃から離れる方向に移動する前に画像形成媒体を押圧する位置に前記移動部材を配置することを特徴とする画像形成装置。
【請求項２】
前記切断機構は、
その側面の偏心した位置に配置された突出部を有する回転板と、
前記突出部が嵌挿される長孔を有し且つ前記可動刃と連結されており、回動自在なリンクと、
前記回転板を回転駆動するモータとを備え、
前記切り換え機構は、
前記回転板の周囲に外側に向かって膨出するように形成されたカム部と、
前記カム部に摺動する一端を有し、回動自在なアームと、
前記アームの他端に当接すると共に、前記移動部材に連結された連結機構とを備えていることを特徴とする請求項１に記載の画像形成装置。
【発明の詳細な説明】
【技術分野】
【０００１】
本発明は、画像形成媒体を切断する切断機構を備えた画像形成装置に関するものである。
【背景技術】
【０００２】
写真処理装置では、画像データに基づいて印画紙に対する露光処理が行われた後で、現像処理等の種々の処理が行われることによって、写真プリントが完成する。多くの写真処理装置では、ロール状に巻き取られた長尺の印画紙を収納したマガジンが装填されており、マガジンから引き出された印画紙がプリントサイズに対応した長さに切断される。従って、このような写真処理装置には、印画紙を切断するための切断機構が備えられている。
【０００３】
ここで、切断機構としては、印画紙の搬送面の下方に配置された固定刃と、印画紙の搬送面の上方において固定刃に向かって往復動可能な可動刃とを有しているものが一般的である。この切断機構では、可動刃が固定刃に向かって下降することによって印画紙が切断される。その後、可動刃は、次の印画紙の切断のために、固定刃から離れるように上昇する。このとき、切断された直後の印画紙の先端が切断機構における切断位置にある場合には、可動刃が上方に上昇する際に、印画紙の先端が上方に引っ張られることによって、印画紙の端部にめくれが生じ、写真プリントの品質が低下するという問題が発生することが知られている。
【０００４】
かかる問題を解消するための技術として、上刃を下降させて下刃との間で印画紙を切断した後で、印画紙を搬送する駆動ローラを逆回転させることによって、印画紙の先端をマガジン側に引き戻す技術がある（例えば、特許文献１参照）。この場合には、上刃が上方に移動する前に、印画紙の先端が上刃から引き離されるので、上刃の上昇に伴って印画紙の先端にめくれが生じるのを防止することができる。
【特許文献１】特許第３２４８６０１号明細書（図３）
【発明の開示】
【発明が解決しようとする課題】
【０００５】
しかしながら、マガジンから印画紙を引き出しつつ印画紙を搬送する駆動ローラは、大きな搬送力が必要となるので、駆動ローラを駆動するモータには大きな駆動力が必要である。ここで、駆動力の大きなモータの駆動開始時には、大きな振動が生じることが多い。従って、モータを逆回転させることによって、印画紙の先端をマガジン側に引き戻す場合には、モータ駆動時の振動が装置本体に伝達され、その結果、印画紙に形成される画像の品質が低下してしまう。
【０００６】
そこで、本発明の目的は、画像形成媒体に形成される画像の品質が低下するのを抑制しつつ、画像形成媒体の端部にめくれが生じるのを防止することができる画像形成装置を提供することである。
【課題を解決するための手段および発明の効果】
【０００７】
本発明の画像形成装置は、画像形成媒体を挟持しつつ搬送する搬送機構と、固定刃及び前記固定刃に向かって往復移動可能な可動刃を有し且つ前記搬送機構により搬送された画像形成媒体を切断する切断機構とを備えており、画像形成媒体上に画像を形成する画像形成装置において、前記搬送機構と前記切断機構との間を搬送される画像形成媒体の一部分を搬送経路と交差する方向に向かって押圧する方向に移動可能な移動部材と、前記可動刃と連動させて、前記移動部材の位置を切り換える切り換え機構とをさらに備えており、前記切り換え機構は、前記切断機構において画像形成媒体が切断されるときは画像形成媒体を押圧しない位置に前記移動部材を配置し、前記切断機構において画像形成媒体が切断された後であって且つ可動刃が固定刃から離れる方向に移動する前に画像形成媒体を押圧する位置に前記移動部材を配置することを特徴としている。
【０００８】
この構成によると、切断機構において画像形成媒体が切断された後、可動刃が固定刃から離れる方向に移動する前に、可動刃が移動するのに伴って、移動部材が搬送機構と切断機構との間を搬送される画像形成媒体の少なくとも一部分を搬送経路と交差する方向に向かって押圧する位置に移動する。従って、搬送機構と切断機構との間において、画像形成媒体が撓むことによって、切断された直後の画像形成媒体の先端が搬送方向上流側に戻されて切断機構における切断位置から離隔する。その結果、可動刃が固定刃から離れる方向に移動する際に、画像形成媒体の端部にめくれが生じるのを防止することができる。また、搬送機構に含まれるモータを駆動させて画像形成媒体の先端を搬送方向上流側に戻すのではなく、可動刃と移動部材とを機械的に連結する切り換え機構によって画像形成媒体の先端を搬送方向上流側に戻すことができる。従って、搬送機構に含まれるモータを駆動させて画像形成媒体の先端を搬送方向上流側に戻す場合のように、振動が発生することがほとんどないので、画像形成媒体の先端を搬送方向上流側に戻すことに起因して、画像形成媒体に形成される画像の品質が低下するのを抑制することができる。
【０００９】
本発明の画像形成装置において、前記切断機構は、その側面の偏心した位置に配置された突出部を有する回転板と、前記突出部が嵌挿される長孔を有し且つ前記可動刃と連結されており、回動自在なリンクと、前記回転板を回転駆動するモータとを備え、前記切り換え機構は、前記回転板の周囲に外側に向かって膨出するように形成されたカム部と、前記カム部に摺動する一端を有し、回動自在なアームと、前記アームの他端に当接すると共に、前記移動部材に連結された連結機構とを備えていてもよい。
【００１０】
この構成によると、モータによって回転板が回転駆動されると、リンクが回動することによって可動刃が固定刃に向かって往復移動すると共に、アームが回動することによって移動部材が画像形成媒体に向かって往復移動する。従って、可動刃と連動させて移動部材の位置を切り換える切り換え機構の構成を簡略化することができる。
【発明を実施するための最良の形態】
【００１１】
以下、本発明の好適な実施の形態について、図面を参照しつつ説明する。図１は、本発明の実施の形態に係る写真処理装置の概略構成を示す図である。
【００１２】
図１に示す写真処理装置１は、銀塩式の写真フィルムに記録されたコマ画像情報をＲ、Ｇ、Ｂの３原色に色分解し、デジタル信号化して取り込む画像処理部１０と、画像処理部１０からのコマ画像情報に基づいて印画紙２（画像形成媒体の一例）にプリントを行うプリント処理部２０とを備えている。
【００１３】
画像処理部１０には、テーブル１４の上面に、写真フィルムのコマ画像を取り込むスキャナー１１と、取り込んだ画像情報や必要な情報を表示するモニター１２と、各種の情報を入力するための操作卓１３とを備えている。また、テーブル１４の下方には、汎用コンピュータで構成される処理装置１５を備えている。処理装置１５は、メモリカードやＭＯ等の記憶媒体から画像データを取り込むメディアリーダ１６を備えると共に、マイクロプロセッサ、データを記憶するメモリ、データを保存するハードディスク等を内蔵している。
【００１４】
プリント処理部２０は、マガジン２１から供給される印画紙２に露光処理を行って送り出す露光処理部２２と、露光処理部２２からの印画紙２の現像処理を行うように複数の現像処理槽を有した現像処理部２８と、現像処理部２８で現像処理された印画紙２を乾燥して送り出す乾燥部２９とを備えている。
【００１５】
露光処理部２２には、ロール状の印画紙２を収めたマガジン２１を装填可能になっている。また、露光処理部２２は、マガジン２１から印画紙２を引き出しつつ搬送する搬送供給機構３０と、印画紙２をプリントサイズに切断する切断機構５０と、切断された印画紙２を水平方向に送る横搬送装置２５と、横搬送装置２５からの印画紙２を水平方向に送りながら露光を行う露光装置２６と、露光装置２６から送り出された露光済みの印画紙２を上方に送り、現像処理部２８に供給する縦搬送装置２７とを備えている。
【００１６】
次に、搬送供給機構３０、切断機構５０及びこれらの間に配置された切り換え機構７０の詳細な構成について、図２を参照して説明する。図２は、搬送供給機構、切断機構及び切り換え機構の概略構成を示す図である。なお、図２は、写真処理装置において印画紙が切断される際の動作を説明するための図としても用いられる。
【００１７】
搬送供給機構３０は、駆動ローラ３１と、駆動ローラ３１に圧着する２つの圧着ローラ３２、３３と、印画紙２の搬送経路を規制するための搬送ガイド３４とを有している。
【００１８】
駆動ローラ３１は、それに接続されたモータ３８によって回転駆動されるものである。圧着ローラ３２、３３は、駆動ローラ３１が回転するのに伴って回転可能である。そのため、駆動ローラ３１と圧着ローラ３２、３３とのそれぞれの間に印画紙２が進入すると、これらによって印画紙２は挟持されるようになる。従って、搬送供給機構３０は、駆動ローラ３１を回転駆動することによって、マガジン２１から印画紙２を引き出しつつ、引き出した印画紙２を搬送方向下流側に向かって搬送することができる。
【００１９】
なお、圧着ローラ３２は、駆動ローラ３１の水平方向近傍に配置されており、圧着ローラ３３は、駆動ローラ３１の上方向近傍に配置されている。従って、マガジン２１から鉛直上方に向かって引き出された印画紙２は、最初に、駆動ローラ３１と圧着ローラ３２とに挟持され、その後、駆動ローラ３１と圧着ローラ３３とに挟持されるようになる。また、このとき、マガジン２１から鉛直上方に向かって引き出された印画紙２は、印画紙２の搬送方向が搬送ガイド３４によって規制されることによって、その搬送方向が水平方向に変更される。
【００２０】
搬送ガイド３４は、所定間隔を隔てて対向する一対のガイド部材３５、３６から構成されている。ここで、ガイド部材３５、３６は、略Ｌ字形状の断面を有している。搬送ガイド３４は、鉛直上方に向かって搬送される印画紙２の搬送方向を規制する鉛直部３４ａと、水平方向に搬送される印画紙２の搬送方向を規制する水平部３４ｂとを有している。そして、ガイド部材３５の駆動ローラ３１に対応する部分及びガイド部材３６の圧着ローラ３２、３３に対応する部分には開口がそれぞれ形成されている。そのため、搬送ガイド３４内を搬送される印画紙２（ガイド部材３５、３６間を搬送される印画紙２）は、駆動ローラ３１及び圧着ローラ３２、３３によって挟持されながら搬送されることになる。
【００２１】
ここで、搬送ガイド３４の鉛直部３４ａの下端部の形状は、下方向（搬送方向上流側）に向かって次第に広がっており、略Ｙ字形状の断面を有している。従って、マガジン２１から引き出された印画紙２の先端が搬送ガイド３４内に進入しやすくなる。
【００２２】
また、搬送ガイド３４の水平部３４ｂにおいて、上側のガイド部材３５の端部近傍は、上方に向かって次第に広がると共に、その先端部が上方に向かって略直角に折り曲げられている。従って、後で詳述するように、搬送ガイド３４よりも搬送方向下流側に配置された可動ガイド４０が上方に向かって移動した場合でも、印画紙２が急激に折れ曲がるのを抑制することができる。
【００２３】
切断機構５０は、固定ガイド５１、５５と、固定刃５７と、可動刃５８と、リンク６１と、回転板６５と、モータ６８とを有している。
【００２４】
固定ガイド５１は、切断機構５０における切断位置よりも搬送方向上流側に配置されている。固定ガイド５１は、所定間隔を隔てて対向する一対のガイド部材５２、５３から構成されており、搬送供給機構３０の搬送ガイド３４の水平部３４ｂとほぼ同じ高さに設けられている。固定ガイド５１の搬送方向上流側の端部の形状は、搬送方向上流側に向かって次第に広がっており、略Ｙ字形状の断面を有している。
【００２５】
固定ガイド５４は、切断機構５０における切断位置よりも搬送方向下流側に配置されている。固定ガイド５４は、所定間隔を隔てて対向する一対のガイド部材５５、５６から構成されており、搬送供給機構３０の搬送ガイド３４の水平部３４ｂとほぼ同じ高さに設けられている。固定ガイド５４の搬送方向上流側の端部の形状は、搬送方向上流側に向かって次第に広がっており、略Ｙ字形状の断面を有している。
【００２６】
固定刃５７は、その先端が固定ガイド５１の搬送方向下流側の端部近傍にくるように配置されている。
【００２７】
可動刃５８は、その先端が固定刃５７の先端に対して近づく方向及び離れる方向のいずれかに上下方向に昇降可能になっており、固定刃５７に近づく方向に下降することによって、それらの間に配置された印画紙２を切断することができる。
【００２８】
リンク６１は、略Ｌ字形状を有しており、その屈曲部に設けられたリンク支点６２を支点として回動可能になっている。リンク６１の上端部には、可動刃５８が連結されている。従って、リンク６１がリンク支点６２を支点として回動するのに伴って、可動刃５８は、固定刃５７に対して近づく方向への移動と離れる方向への移動とを交互に繰り返すようになる。また、リンク６１の下端部近傍には、その長さ方向に沿った長孔６３が形成されている。
【００２９】
リンク６１の下端部近傍には、回転板６５が配置されている。回転板６５は、略円板状の部材であって、その中心位置に連結されたモータ６８の回転軸６７によって回転駆動される。ここで、回転板６５の外周面のほぼ半分の部分には、外側に向かって所定長さだけ膨出するカム部６５ａが形成されている。つまり、回転板６５は、その外周面が膨出した大径の部分（カム部６５ａ）と、その外周面が膨出していない小径の部分（カム部６５ａ以外の部分）とを有している。また、回転板６５の側面の中心位置から偏心した位置には、嵌挿部６６が設けられている。嵌挿部６６は、図２において、紙面手前に向かって突出する突出部である。
【００３０】
そして、回転板６５に設けられた嵌挿部６６は、リンク６１の長孔６３内に嵌挿されており、長孔６３内を移動可能である。従って、モータ６８によって回転板６５が回転駆動されると、それに伴って嵌挿部６６が回転軸６７の周りを回転移動し、リンク６１の下端部がリンク支点６２を支点として回動する。なお、このとき、リンク６１の上端部に連結された可動刃５８が固定刃５７に向かって往復動する。
【００３１】
また、リンク６１の上端部には、支持部材８１が接続されており、その先端部には検出板８２が取り付けられている。従って、リンク６１がリンク支点６２を支点として回動すると、検出板８２もリンク支点６２を支点として回動することになる。
【００３２】
そして、リンク６１の上方には、第１検出センサ８３及び第２検出センサ８４が配置されている。ここで、第１検出センサ８３は発光部８３ａ及び受光部８３ｂを有しており、第２検出センサ８４は発光部８４ａ及び受光部８４ｂを有している。また、第１及び第２検出センサ８３、８４は、検出板８２の移動範囲の両端部近傍に配置されている。そいて、リンク６１がリンク支点６２を支点として回動すると、検出板８２が、発光部８３ａと受光部８３ｂとの間及び発光部８４ａと受光部８４ｂとの間に進入可能になっている。
【００３３】
ここで、第１及び第２検出センサ８３、８４の配置についてさらに詳細に説明する。可動刃５８が最も上方の位置（最上点）にある場合には、図２に示すように、検出板８２はその移動範囲の一端部（図２右端部）に配置されるので、このときに検出板８２が発光部８３ａと受光部８３ｂとの間に進入するように、第１検出センサ８３が配置されている。また、可動刃５８が最も下方の位置（最下点）にある場合には、検出板８２はその移動範囲の他端部（図２左端部）に配置される（図４参照）ので、このときに検出板８２が発光部８４ａと受光部８４ｂとの間に進入するように、第２検出センサ８４が配置されている。
【００３４】
従って、写真処理装置１では、第１検出センサ８３の発光部８３ａからの光を受光部８３ｂで受光するか否かを検知することによって、両者の間に検出板８２があるかどうか、すなわち、可動刃５８が最上点にあるかどうかを検知することができる。また、写真処理装置１では、第２検出センサ８４の発光部８４ａからの光を受光部８４ｂで受光するか否かを検知することによって、両者の間に検出板８２があるかどうか、すなわち、可動刃５８が最下点にあるかどうかを検知することができる。
【００３５】
また、搬送供給機構３０と切断機構５０との間には、可動ガイド４０と、可動ガイド４０を移動させるための切り換え機構７０とが配置されている。
【００３６】
可動ガイド４０は、所定間隔を隔てて対向する一対のガイド部材４５、４６から構成されており、搬送供給機構３０の搬送ガイド３４の水平部３４ｂ及び固定ガイド５１とほぼ同じ高さである第１位置（図２に示す位置）と、それよりも上方にある第２位置（図３に示す位置）との間で移動可能になっている。
【００３７】
ここで、可動ガイド４０の上側のガイド部材４５及び下側のガイド部材４６の搬送方向上流側の端部の形状は、搬送方向上流側に向かって次第に広がっており、略Ｙ字形状の断面を有している。また、可動ガイド４０の下側のガイド部材４６の搬送方向下流側の端部は、下方に向かって次第に広がっている。
【００３８】
なお、可動ガイド４０が第１位置に配置されている場合には、搬送供給機構３０と切断機構５０との間を搬送される印画紙２の搬送経路を規制することができる。一方、可動ガイド４０が第２位置に配置されている場合には、搬送供給機構３０と切断機構５０との間を搬送される印画紙２を上方に向かって押圧することができる。
【００３９】
切り換え機構７０は、可動ガイド４０を上下方向に移動させることによって、可動ガイド４０の位置を第１位置と第２位置との間で切り換えるためのものである。切り換え機構７０は、カム部６５ａと、アーム７１と、コロ７４と、連結機構７５とを有している。アーム７１は、略Ｌ字形状の部材であって、回転板６５の近傍に配置されている。従って、アーム７１は、鉛直部７１ａと水平部７１ｂとを有している。アーム７１は、その屈曲部に設けられたアーム支点７２を支点として回動可能になっている。
【００４０】
そして、アーム７１の鉛直部７１ａの下端部には、回転軸７３によって回転可能に支持されたコロ７４が設けられている。ここで、コロ７４は、略円板状の部材であって、その外周面が回転板６５の外周面に接触している。従って、回転板６５がモータ６８によって回転駆動されると、それに伴ってコロ７４も回転軸７３の周りを回転する。
【００４１】
また、上述したように、回転板６５の外周面には外側に膨出するカム部６５ａが形成されている。従って、コロ７４が回転板６５の外周面のカム部６５ａ以外の部分（膨出していない部分）に接触している場合には、アーム７１の鉛直部７１ａは鉛直に維持されると共に、水平部７１ｂは水平に維持される。これに対して、コロ７４が回転板６５の外周面のカム部６５ａ（膨出する部分）に接触している場合には、回転板６５の外周面のカム部６５ａ以外の部分に接触している場合と比較して、コロ７４が図２右側に押される。そのため、アーム７１がアーム支点７２を支点として反時計回りに回動する（図４参照）。すると、アーム７１の鉛直部７１ａは右斜め下方向に傾斜すると共に、水平部７１ｂは右斜め上方向に傾斜する。このとき、アーム７１の水平部７１ｂの先端部は上方に移動する。
【００４２】
また、連結機構７５は、可動ガイド４０と、アーム７１の水平部７１ｂの端部近傍とを連結している。つまり、連結機構７５の上端部が可動ガイド４０の下面に連結されていると共に、連結機構７５の下端部がアーム７１の水平部７１ｂの上面に連結されている。従って、可動ガイド４０と、アーム７１の水平部７１ｂの端部とは、ほぼ一体となって上下方向（搬送供給機構３０と切断機構５０との間を搬送される印画紙２の一部分を搬送経路と交差する方向に向かって押圧する方向）に移動する。
【００４３】
ここで、切断機構５０において印画紙２が切断された直後は、印画紙２の先端が切断機構５０における切断位置にあると共に、印画紙２は、搬送ガイド３４、可動ガイド４０及び固定ガイド５１の全ての間を通過している状態になっている。そして、搬送供給機構３０では印画紙２は駆動ローラ３１及び圧着ローラ３２、３３によって挟持されているので、印画紙２は固定されている。従って、この状態で、可動ガイド４０が上昇すると、印画紙２が、可動ガイド４０によって上方に押圧されて可動ガイド４０近傍において上方に持ち上げられるので、印画紙２の先端が搬送方向上流側に戻される。その結果、印画紙２の先端が切断機構５０における切断位置から離隔するようになる。
【００４４】
なお、印画紙２の先端が搬送方向上流側に戻される距離は、可動刃５８が上昇する際に、印画紙２の先端が可動刃５８に接触しない範囲で任意に変更することができる。従って、印画紙２の先端が搬送方向上流側に戻される距離は、例えば０．１〜０．３ｍｍ程度でもよい。
【００４５】
なお、本実施の形態では、連結機構７５としては、連結部材７６と、バネ７７と、ガイド移動用メタル７８とを含んでいる。ここで、連結機構７５として、バネ７７が含まれている場合には、アーム７０が固定された状態においても、可動ガイド４０は若干上下方向に移動することが出来るので、搬送供給機構３０から搬送方向下流側に向かって搬送される印画紙２が可動ガイド４０に進入する際に、紙詰まりが発生するのを抑制することができる。
【００４６】
次に、写真処理装置において印画紙が切断される際の動作手順について、図２〜図７を参照して説明する。図２〜図６は、写真処理装置において印画紙が切断される際の動作を説明するための図である。図７は、写真処理装置において印画紙が切断される際の動作手順を示すフローチャートである。
【００４７】
写真処理装置１では、第１検出センサ８３によって検出板８２が検出されたか否かが繰り返し判断される（ステップＳ１０１）。ここで、第１検出センサ８３によって検出板８２が検出されると（Ｓ１０１：ＹＥＳ）、図１に示すように、可動刃５８は最上点にある状態であるので、搬送供給機構３０の駆動ローラ３１が回転駆動されることによって、印画紙２が搬送方向下流側に向かって搬送される（ステップＳ１０２）。なお、このとき、回転板６５を回転駆動するためのモータ６８が停止している。
【００４８】
なお、このとき、可動ガイド４０は、搬送ガイド３４の水平部３４ｂ及び固定ガイド５１とほぼ同じ高さに配置されているので、搬送供給機構３０から搬送方向下流側に搬送された印画紙２は、ほぼ水平に維持された状態で、可動ガイド４０及び固定ガイド５１を通過することになる。また、このとき、可動ガイド４０に連結されたアーム７１に設けられたコロ７４は、回転板６５の外周面のカム部６５ａ以外の部分の最も反時計回り方向下流側近傍に接触しており、アーム７１の水平部７１ｂは水平に維持されている。
【００４９】
そして、印画紙２の先端から１枚のプリントサイズに相当する長さの部分が切断機構５０における切断位置を通過すると、印画紙２の切断されるべきカット位置（画像の後端部である場合が多い）が切断機構５０における切断位置に到達する（ステップＳ１０３）。すると、搬送供給機構３０の駆動ローラ３１の回転駆動が停止されて、印画紙２の搬送方向下流側への搬送が停止される（ステップＳ１０４）。
【００５０】
そして、モータ６８によって回転板６５が、図２において反時計回りに回転駆動されると、嵌挿部６６が回転軸６７の周りを回転するのに伴って、リンク６１がリンク支点６２を支点として回動し始めるので、可動刃５８の下降が開始される（ステップＳ１０５）。
【００５１】
引き続き、回転板６５が反時計回りに回転駆動されると、可動刃５８がさらに下降して、可動刃５８の先端と固定刃５７の先端との間に挟まれた印画紙２が、図３に示すように、固定刃５７と可動刃５８との相互作用によって切断される（ステップＳ１０６）。また、このとき、コロ７４は、回転板６５の外周面のカム部６５ａ以外の部分の最も反時計回り方向上流側近傍に接触しており、アーム７１の水平部７１ｂは水平に維持されている。
【００５２】
そして、その直後に、図４に示すように、コロ７４が回転板６５の外周面のカム部６５ａに接触し始めるので、アーム７１がアーム支点７２を支点として回動する。これに伴って、アーム７１の水平部７１ｂの端部が上昇し始めるので、可動ガイド４０の上昇が開始される（ステップＳ１０７）。
【００５３】
引き続き、回転板６５が反時計回りに回転駆動されることによって、可動刃５８が下降して最下点に到達すると、可動刃５８の下降が完了する。また、これとほぼ同時に、可動ガイド４０の上昇も完了する（ステップＳ１０８）。また、このとき、コロ７４は、回転板６５の外周面のカム部６５ａの最も反時計回り方向上流側近傍に接触しており、アーム７１の水平部７１ｂは図４において右斜め上方に傾いた状態に維持されている。
【００５４】
なお、このとき、第２検出センサ８４によって検出板８２が検出され、可動刃５８は最下点にある状態であるので、写真処理装置１では、印画紙２の切断が完了したことを検知して、横搬送装置２５によって、切断された印画紙２が搬送方向下流側に向かって搬送される。
【００５５】
このようにして、可動ガイド４０が上昇すると、印画紙２が可動ガイド４０によって上方に押圧され、印画紙２に撓みが生じることによって、印画紙２の先端は搬送方向上流側に移動する（ステップＳ１０９）。ここで、印画紙２の可動ガイド４０よりも搬送方向上流側は、駆動ローラ３１及び圧着ローラ３２、３３によって挟持されることによって固定されている。従って、印画紙２は、可動ガイド４０近傍（搬送供給機構３０と切断機構５０との間）において撓むので、印画紙２の先端が切断機構５０における切断位置から離隔する。
【００５６】
そして、印画紙２の先端が切断機構５０における切断位置から離隔した状態で、回転板６５が反時計回りに回転駆動されると、図５に示すように、可動刃５８が上昇し始める（ステップＳ１１０）。また、このとき、コロ７４は、回転板６５の外周面のカム部６５ａの最も反時計回り方向上流側近傍に接触しており、アーム７１の水平部７１ｂは図５において右斜め上方に傾いた状態に維持されている。
【００５７】
そして、可動刃５８の先端が印画紙２の搬送面よりも高い位置まで上昇した後で、可動ガイド４０の下降が開始される（ステップＳ１１１）。また、この状態では、可動ガイド４０に連結されたアーム７１に設けられたコロ７４は、回転板６５の外周面のカム部６５ａ以外の部分の最も反時計回り方向下流側近傍に接触している。このとき、アーム７１の水平部７１ｂは水平に維持されている。
【００５８】
引き続き、回転板６５が反時計回りに回転駆動されると、可動刃５８が上昇して最上点に到達すると、図６に示すように、可動刃５８の上昇が完了する。また、これとほぼ同時に、可動ガイド４０の下降も完了して、可動ガイド４０は元の位置に戻る（ステップＳ１１２）。その後、ステップＳ１０１に戻って、上述と同様の処理が繰り返される。
【００５９】
以上説明したように、本実施の形態の写真処理装置１では、切断機構５０において印画紙２が切断された後、可動刃５８が固定刃５７から離れる方向に移動する前に、可動刃５８が移動するのに伴って、可動ガイド４０が搬送供給機構３０と切断機構５０との間を搬送される印画紙２を上方に押圧する。従って、搬送供給機構３０と切断機構５０との間において、印画紙２が撓むことによって、切断された直後の印画紙２の先端が搬送方向上流側に戻されて切断機構５０における切断位置から離隔する。その結果、可動刃５８が上方に移動する際に、印画紙２の端部にめくれが生じるのを防止することができる。また、搬送供給機構５０に含まれるモータ３８を駆動させて印画紙２の先端を搬送方向上流側に戻すのではなく、可動刃５８と可動ガイド４０とを機械的に連結する切り換え機構７０によって印画紙２の先端を搬送方向上流側に戻すことができる。従って、搬送供給機構５０に含まれるモータ３８を駆動させて印画紙２の先端を搬送方向上流側に戻す場合のように、振動が発生することがほとんどないので、印画紙２の先端を搬送方向上流側に戻すことに起因して、印画紙２に形成される画像の品質が低下するのを抑制することができる。
【００６０】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、印画紙２の搬送面の下方に配置された固定刃５７と、印画紙２の搬送面よりも上方において固定刃５７に向かって往復移動可能な可動刃５８とを含む切断機構５０について説明しているが、固定刃と可動刃との相互作用によって印画紙を切断できる範囲で、固定刃及び可動刃の配置は任意に変更することができる。従って、切断機構が、印画紙の搬送面の上方に配置された固定刃と、印画紙の搬送面よりも下方において固定刃に向かって往復移動可能な可動刃とを含んでいてもよい。
【００６１】
また、上述の実施の形態では、切り換え機構７０は、カム部６５ａと、アーム７１と、コロ７４と、連結機構７５とを有しているが、可動刃５８が移動するのに伴って、可動ガイド４０が本実施の形態と同様に移動する構成であれば、その構成は任意に変更することができる。
【００６２】
また、上述の実施の形態では、印画紙２に画像を形成する露光装置２６が、搬送供給機構３０及び切断機構５０よりも搬送方向下流側に配置されているが、露光装置は、搬送供給機構及び切断機構よりも搬送方向上流側に配置されていてもよい。
【００６３】
また、上述の実施の形態では、写真処理装置１について説明されているが、写真処理装置以外の画像形成装置であっても、本実施の形態と同様の効果を得ることができる。
【図面の簡単な説明】
【００６４】
【図１】本発明の実施の形態に係る写真処理装置の概略構成を示す図である。
【図２】搬送供給機構、切断機構及び切り換え機構の概略構成を示す図である。
【図３】写真処理装置において印画紙が切断される際の動作を説明するための図である。
【図４】写真処理装置において印画紙が切断される際の動作を説明するための図である。
【図５】写真処理装置において印画紙が切断される際の動作を説明するための図である。
【図６】写真処理装置において印画紙が切断される際の動作を説明するための図である。
【図７】写真処理装置において印画紙が切断される際の動作手順を示すフローチャートである。
【符号の説明】
【００６５】
１  写真処理装置（画像形成装置）
２  印画紙（画像形成媒体）
３０  搬送供給機構（搬送機構）
４０  可動ガイド（移動部材）
５０  切断機構
５７  固定刃
５８  可動刃
６１  リンク
６２  リンク支点
６３  長孔
６５  回転板
６５ａカム部
６６  嵌挿部（突出部）
６８  モータ
７０  切り換え機構
７１  アーム（アーム部材）
７２  アーム支点
７４  コロ（当接部材）
７５  連結機構
【図１】
2006072014.tif 000003
【図２】
2006072014.tif 000004
【図３】
2006072014.tif 000005
【図４】
2006072014.tif 000006
【図５】
2006072014.tif 000007
【図６】
2006072014.tif 000008
【図７】
2006072014.tif 000009